(57)【要約】【課題】            開閉体を開閉操作する際の利便性が良好な開閉装置の開閉体制御装置を提供する。【解決手段】        差し込まれるキーによって入切操作されるキースイッチ部２１と、選択的に操作される第一の制御スイッチ部２２，２３及び第二の制御スイッチ部２４と、これらキースイッチ部２１と複数の制御スイッチ２２，２３，２４との操作により開閉体１の動作を制御する制御手段４とを備え、制御手段４は、前記開閉体１の動作中に前記キースイッチ部２１が切状態にされた場合に、前記第二の制御スイッチ部２４が操作される迄、又は前記開閉体１が所定位置となる迄、前記開閉体の動作１を継続するように構成されている。【選択図】          図２
2005030125.tif 000002
【特許請求の範囲】
【請求項１】
差し込まれるキーによって入切操作されるキースイッチ部と、操作される制御スイッチ部と、これらキースイッチ部と制御スイッチ部との操作により開閉体を制御する制御手段とを備え、
前記制御手段は、前記キースイッチ部が切状態の場合に、前記制御スイッチ部による操作の全部または一部を無効とし、かつ、前記開閉体の所定動作中に前記キースイッチ部が入状態から切状態にされた場合に、前記開閉体の前記所定動作を、前記開閉体が所定位置となるまで継続するように構成されていることを特徴とする開閉装置の開閉体制御装置。
【請求項２】
上記所定動作には、上記制御スイッチ部の操作に基づく動作が含まれていることを特徴とする請求項１記載の開閉装置の開閉体制御装置。
【請求項３】
上記制御スイッチ部には、少なくとも、上記開閉体を所望とする動作方向へ動作させるための第一の制御スイッチ部と、動作中の上記開閉体をその動作を阻むように制御するための第二の制御スイッチ部とを含み、
上記制御手段は、上記開閉体の上記所定動作中に上記キースイッチ部が入状態から切状態にされた場合に、上記開閉体の上記所定動作を、前記第二の制御スイッチ部が操作される迄、又は上記開閉体が上記所定位置となるまで継続するように構成されていることを特徴とする請求項１又は２記載の開閉装置の開閉体制御装置。
【請求項４】
上記制御手段は、上記キースイッチ部が入状態の揚合に、上記第一の制御スイッチ部による操作を有効にするように構成されていることを特徴とする請求項１記載の開閉装置の開閉体制御装置。
【請求項５】
上記第一の制御スイッチ部には、上記開閉体を開放方向へ動作させるための開スイッチ部と同開閉体を閉鎖方向へ動作させるための閉スイッチ部とがあり、
上記第二の制御スイッチ部は、上記開閉体の動作を停止するための停止スイッチ部であることを特徴とする請求項３又は４記載の開閉装置の開閉体制御装置。
【請求項６】
上記制御手段は、上記開閉体を開放動作させる開放用リレーと、上記開閉体を閉鎖動作させる閉鎖用リレーとを備えた電気回路により構成され、
上記停止スイッチ部は、前記開放用リレーを自己保持する自己保持接点と、前記閉鎖用リレーを自己保持する自己保持接点との各々に対して直列に配線され、
上記キースイッチ部は、前記開放用リレーの電磁コイルと上記開スイッチ部とを直列接続した回路と、前記閉鎖用リレーの電磁コイルと上記閉スイッチ部とを直列接続した回路との内、少なくとも一方の回路に対して直列に配線されるとともに、
同キースイッチ部は、前記開放用リレーの前記自己保持接点と、前記閉鎖用リレーの前記自己保持接点との各々に対して並列に配線されていることを特徴とする請求項５記載の開閉装置の開閉体制御装置。
【請求項７】
上記停止スイッチ部は、上記双方の自己保持接点および上記キースイッチ部の電源側に、直列に配線されていることを特徴とする請求項６記載の開閉装置の開閉体制御装置。
【発明の詳細な説明】
【技術分野】
【０００１】
本発明は、オーバーヘッドドアを含むシャッター装置、ドア、雨戸を含む引戸、窓、ロールスクリーン、ブラインド、オーニング装置、門扉、ゲート等の開閉装置における開閉体制御装置に関し、特にシャッター装置に適用するのに好ましい開閉装置の開閉体制御装置に関するものである。
【背景技術】
【０００２】
従来、この種の発明には、差し込まれるキーにより入切操作されるキースイッチ部を備え、このキースイッチ部が入状態にされている場合のみ、開スイッチや、閉スイッチ、停止スイッチ等の操作を有効にした開閉装置の開閉体制御装置がある。
この従来の開閉体制御装置について詳細に説明すれば、例えば図８の電気配線図に示すように、開閉体を開放動作させるための開放用リレー１０１と、開閉体を閉鎖動作させるための閉鎖用リレー１０２との電源側に、キースイッチ部１０３の接点と停止スイッチ１０４の接点とを直列に配線した電気回路となっている。
この電気回路によれば、キースイッチ部１０３が切状態の場合、開スイッチ１０５、閉スイッチ１０６、及び停止スイッチ１０４による操作は、何れも無効となる。
【０００３】
ところで、上記のような電気回路を備えた開閉体制御装置によれば、例えば、操作者が開閉体を開放操作した後に該開閉体から離れたい場合、その操作者は、先ずキースイッチ部１０３にキーを差込んで該キースイッチ部１０３を入状態にし、その後に開スイッチ１０５を操作して、開閉体を開放動作させる。
仮に、前記開閉体の開放動作中に、前記操作者がキーを抜くためにキースイッチ部１０３を切状態にしてしまった場合、上記開放用リレー１０１に電源が通電されなくなるため、開放動作中の開閉体は、開放途中で停止してしまうことになる。
したがって、操作者は、開閉体が完全に開き切るの待って、キーを抜く必要がある。また同様に、開閉体を閉鎖する際にも、操作者は、開閉体が閉まり切るのを待って、キーを抜く必要がある。
なお、上記従来技術は公開文献によるものでないが、上記従来技術と技術水準が略同程度の公開文献としては、例えば特許文献１に記載された発明が挙げられる。この特許文献１における電気回路（図１参照）において、停止用押釦スイッチ（３６）と直列に上記キースイッチ部を配線すれば、上記従来技術と略同様の開閉体制御装置となる。
【特許文献１】特開平９−２８７３７１号公報  （第１図）
【発明の開示】
【発明が解決しようとする課題】
【０００４】
本発明は上記従来事情に鑑みてなされたものであり、その課題とする処は、開閉体を開閉操作する際の利便性が良好な開閉装置の開閉体制御装置を提供することにある。
【課題を解決するための手段】
【０００５】
上記課題を解決するために第一の発明は、差し込まれるキーによって入切操作されるキースイッチ部と、操作される制御スイッチ部と、これらキースイッチ部と制御スイッチ部との操作により開閉体を制御する制御手段とを備え、前記制御手段は、前記キースイッチ部が切状態の場合に、前記制御スイッチ部による操作の全部または一部を無効とし、かつ、前記開閉体の所定動作中に前記キースイッチ部が入状態から切状態にされた場合に、前記開閉体の前記所定動作を、前記開閉体が所定位置となるまで継続するように構成されていることを特徴とする。
【０００６】
ここで、本発明に係わる開閉体制御装置が適用される開閉装置は、開閉体の開閉動作により空間を仕切ったり開放したりする装置を意味し、この開閉装置には、開閉体が開動作のみを行う態様や、開閉体が閉動作のみを行う態様、開閉体が開動作と閉動作との双方を行う態様等を含む。
【０００７】
尚、開閉体の開閉方向は、略垂直方向とするのが好ましく、更には閉鎖方向が下降方向であることがより好ましいが、略水平方向あるいは斜め方向とすることも可能である。
【０００８】
また、上記開閉体の具体例としては、複数のスラットやパイプを開閉方向へ連設してなる開閉体や、単数もしくは複数連設したパネルや、シート状物、ネット状物からなる開閉体、あるいはスラット、パネル、パイプ、シート状物、ネット状物等を適宜に組み合わせてなる開閉体等が挙げられる。
【０００９】
また、上記キースイッチ部とは、差し込まれるキーによって入切操作されるスイッチであればよく、具体的な一例としては、差し込まれるキーの回転操作により接点が開閉されるスイッチ等が挙げられる。
【００１０】
また、上記制御スイッチ部とは、上記開閉体を制御動作（例えば上記開閉体を動作させたり上記開閉体の動作を停止したり等）するために操作されるスイッチであればよい。
また、この制御スイッチ部には、単数のスイッチからなる態様であってもよいし、複数のスイッチからなる態様であってもよい。
この制御スイッチ部の好ましい具体例としては、単数もしくは複数の押しボタンスイッチからなる態様が挙げられる。
また、この制御スイッチ部は、上記制御手段を構成する制御回路等に、有線接続されていてもよいし、無線接続されていてもよい。
【００１１】
また、上記制御手段は、上記キースイッチ部と上記制御スイッチ部との操作により上記開閉体を制御する制御回路である。
この制御手段の具体例としては、リレー等により構成された有接点シーケンスや、電子部品等により構成された無接点シーケンス、プログラミングされたプログラマブルコントローラ、入出力部を有し且つプログラムにより機能するコンピュータ、その他の電気回路や電子回路等が挙げられる。
【００１２】
この制御手段は、上記開閉体の所定動作中に上記キースイッチ部が入状態から切状態にされた場合でも、上記開閉体の前記所定動作を継続し、その開閉体の所定動作を、上記開閉体が所定位置となったことを条件にして中断する。
この制御手段の具体例としては、上記開閉体の開放動作中に、上記キースイッチ部が入状態から切状態にされた場合でも、上記開閉体の前記開放動作を継続し、その開放動作を、上記開閉体が略全開位置となったことを条件に中断するようにした態様が挙げられる。
また、この制御手段の他の具体例としては、上記開閉体の閉鎖動作中に、上記キースイッチ部が入状態から切状態にされた場合でも、上記開閉体の前記閉鎖動作を継続し、その閉鎖動作を、上記開閉体が略全閉位置となったことを条件に中断するようにした態様が挙げられる。
【００１３】
なお、上記所定動作とは、予め設定された上記開閉体の動作であって、例えば、開閉体の開放方向への移動や、開閉体の閉鎖方向への移動等である。
この所定動作には、上記制御スイッチ部の操作に基づく動作と、上記制御スイッチ部以外の指令による動作との双方を含む。なお、上記制御スイッチ以外の指令による動作とは、例えば、上記制御スイッチ部以外のスイッチやリモコン等の操作に基づく動作や、コンピュータ等からの開放指示信号や閉鎖指示信号等に基づく動作、防災信号受信による開放動作又は閉鎖動作等である。
【００１４】
また、上記「前記開閉体の前記所定動作を、前記開閉体が所定位置となるまで継続する」とは、動作中の上記開閉体が予め設定された位置に達するまでその動作を継続することを意味し、例えば開閉体の閉鎖動作を、この開閉体が略全閉位置となるまで継続するようにした態様や、開閉体の開放動作を、この開閉体が略全開位置となるまで継続するようにした態様、開閉体の閉鎖動作または開放動作を、この開閉体が開閉方向における所定の中途位置となるまで継続するようにした態様等を含む。
【００１５】
なお、上記所定位置は、上記開閉体の所定動作中に上記キースイッチ部が入状態から切状態にされた場合に、上記開閉体の前記所定動作の継続を制限する位置である。
したがって、例えば、上記キースイッチ部が入状態のままで、制御スイッチ部等の操作により開閉体が動作した場合、その開閉体の動作がリミットスイッチ等により停止される位置は、上記所定位置と異なっていても構わないし、当然、上記所定位置と同じ位置であっても構わない。
【００１６】
また、上記開閉体が所定位置となったことを検出する手段としては、特に構造が簡素で動作性が良好な一例としては、開閉体の開閉方向の位置を検出する位置センサーを備えた態様が挙げられ、その他の例としては、タイマーにより開閉体が所定時間動作したことをカウントし、その所定時間の動作後の開閉体の位置を上記所定位置とする態様、上記開閉体を巻き取る巻き取り軸にカウンターを設け、該開閉体が所定回数巻き取られたことを上記所定位置とする態様等が挙げられる。
【００１７】
また、第二の発明では、上記所定動作には、上記制御スイッチ部の操作に基づく動作が含まれていることを特徴とする。
すなわち、この第二の発明における上記所定動作には、少なくとも上記制御スイッチ部の操作に基づく動作を含むようにすればよく、その他の動作、例えば、上記制御スイッチ部以外のスイッチやリモコン等の操作に基づく動作や、コンピュータ等からの開放指示信号や閉鎖指示信号等に基づく動作、防災信号受信による開放動作又は閉鎖動作等については、上記所定動作に含まれていてもよいし含まれていなくてもよい。
【００１８】
また、第三の発明では、上記制御スイッチ部には、少なくとも、上記開閉体を所望とする動作方向へ動作させるための第一の制御スイッチ部と、動作中の上記開閉体をその動作を阻むように制御するための第二の制御スイッチ部とを含み、上記制御手段は、上記開閉体の上記所定動作中に上記キースイッチ部が入状態から切状態にされた場合に、上記開閉体の上記所定動作を、前記第二の制御スイッチ部が操作される迄、又は上記開閉体が上記所定位置となるまで継続するように構成されていることを特徴とする。
【００１９】
すなわち、この第三の本発明では、上記制御スイッチ部を複数備えるとともに、これら複数の制御スイッチ部を、開閉体に対する制御機能に応じて、上記第一の制御スイッチ部と上記第二の制御スイッチ部とに分類している。
上記第一の制御スイッチ部とは、上記開閉体を所望とする動作方向、すなわち開放方向や閉鎖方向等へ動作させるための単数もしくは複数のスイッチである。
この第一の制御スイッチ部の具体例としては、上記開閉体を開放方向へ動作させるための開スイッチ部のみからなる構成や、上記開閉体を閉鎖方向へ動作させるための閉スイッチ部のみからなる構成、前記開スイッチ部と前記閉スイッチ部からなる構成等が挙げられる。
また、上記第二の制御スイッチ部とは、上記開閉体の動作を安全のために阻むためのスイッチ、すなわち動作中の上記開閉体を、例えば停止や逆方向への動作等、安全に制御するための単数もしくは複数のスイッチである。
【００２０】
なお、上記「第二の制御スイッチ部が操作され」とは、例えば、上記第二の制御スイッチ部の接点が開状態から閉状態にされたり、上記第二の制御スイッチ部の接点が閉状態から開状態にされたり等することである。
【００２１】
また、第四の発明は、上記制御手段は、上記キースイッチ部が入状態の揚合に、上記第一の制御スイッチ部による操作を有効にするように構成されていることを特徴とする。
【００２２】
ここで、「上記キースイッチ部が入状態の場合」とは、上記キースイッチ部にキーが差し込まれ、そのキーの操作によって上記キースイッチ部が切り状態から入り状態に操作された状態を意味し、より具体的な一例により説明すれば、上記キースイッチ部の接点が前記キーの操作により開又は閉等の入り状態にされた状態である。
また、「上記第一の制御スイッチ部による操作を有効にする」とは、上記第一の制御スイッチ部が入や切等に操作された際に、その操作を、上記キースイッチ部が入状態にある場合に有効にし、切状態にある場合に無効にすることを意味する。その具体例としては、キースイッチ部の接点と第一の制御スイッチ部の接点とを直列に配線した電気回路とすることで、前記キースイッチ部の接点が閉状態の際に、前記制御スイッチ部の接点の開閉を有効にし、前記キースイッチ部の接点が開状態の際に、前記制御スイッチ部の接点の開閉を無効にするようにした態様等が挙げられる。
【００２３】
また、第五の発明は、上記第一の制御スイッチ部には、上記開閉体を開放方向へ動作させるための開スイッチ部と同開閉体を閉鎖方向へ動作させるための閉スイッチ部とがあり、上記第二の制御スイッチ部は、上記開閉体の動作を停止するための停止スイッチ部であることを特徴とする。
【００２４】
また、第六の発明は、上記制御手段は、上記開閉体を開放動作させる開放用リレーと、上記開閉体を閉鎖動作させる閉鎖用リレーとを備えた電気回路により構成され、上記停止スイッチ部は、前記開放用リレーを自己保持する自己保持接点と、前記閉鎖用リレーを自己保持する自己保持接点との各々に対して直列に配線され、上記キースイッチ部は、前記開放用リレーの電磁コイルと上記開スイッチ部とを直列接続した回路と、前記閉鎖用リレーの電磁コイルと上記閉スイッチ部とを直列接続した回路との内、少なくとも一方の回路に対して直列に配線されるとともに、同キースイッチ部は、前記開放用リレーの前記自己保持接点と、前記閉鎖用リレーの前記自己保持接点との各々に対して並列に配線されていることを特徴とする。
【００２５】
ここで、上記開放用リレー及び上記閉鎖用リレーとは、電磁コイルが通電されたり非通電にされたりすることで接点を開閉するリレーである。
また、上記開放用リレーを自己保持する上記自己保持接点とは、上記開放用リレーの接点であって、同開放用リレーの電磁コイルに直列に配線された接点である。
また同様に、上記閉鎖用リレーを自己保持する上記自己保持接点とは、上記閉鎖用リレーの接点であって、同閉鎖用リレーの電磁コイルに直列に配線された接点である。
【００２６】
また、第七の発明は、上記停止スイッチ部は、上記双方の自己保持接点および上記キースイッチ部の電源側に、直列に配線されていることを特徴とする。
【００２７】
すなわち、この第七の発明によれば、上記停止スイッチ部は、開放用リレーの自己保持接点の電源側に直列に配線されるとともに、上記閉鎖用リレーの自己保持接点の電源側に直列に配線され、且つ上記キースイッチ部の電源側に直列に配線されている。
換言すれば、上記停止スイッチ部の負荷側配線が複数に分岐され、その内の二つの分岐先に、開放用リレーの自己保持接点と、閉鎖用リレーの自己保持接点とが、それぞれ上記停止スイッチ部と直列となるように配線され、他の一つの分岐先には、キースイッチ部が直列に配線されている。
【発明の効果】
【００２８】
本発明は、以上説明したように構成されているので、以下に記載されるような作用効果を奏する。
第一の発明によれば、開閉体の所定動作中に、キースイッチを切状態にしたとしても、その開閉体の所定動作を、開閉体が所定位置となる迄、継続することができる。
したがって、例えば開閉体を開放方向または閉鎖方向へ動作させたままの状態で、キースイッチ部を切状態にして該キースイッチ部に差し込まれたキーを抜くことができるため、開閉体を開閉操作する際の利便性が良い。
【００２９】
更に、第二の発明によれば、制御スイッチ部の操作に基づいて開閉体が所定動作した際、その所定動作中に、キースイッチを切状態にしたとしても、その開閉体の所定動作を、開閉体が所定位置となる迄、継続することができる。
したがって、例えば開閉体を、制御スイッチ部の操作により開放方向または閉鎖方向へ動作させたままの状態で、キースイッチ部を切状態にして該キースイッチ部に差し込まれたキーを抜くことができるため、開閉体を開閉操作する際の利便性が更に良い。
【００３０】
第三の発明によれば、第一の制御スイッチ部により開閉体を開放方向または閉鎖方向へ動作させた後、その開閉体の動作中に、キースイッチを切状態にしたとしても、その開閉体を、所定位置となる迄動作させることができる。
しかも、開閉体の動作中に、第二の制御スイッチ部を操作すれば、キースイッチの入切状態に拘わらずに、その開閉体の動作を、停止や逆動作等により阻むことができる。
したがって、例えば開閉体を第一の制御スイッチ部により開放方向または閉鎖方向へ動作させたままの状態で、キースイッチ部を切状態にして該キースイッチ部に差し込まれたキーを抜くことができるため、開閉体を開閉操作する際の利便性が更に良い。
その上、前記のようにしてキーを抜いた後に動作する開閉体を、キーを差し込むことなく、第二の制御スイッチにより停止や逆動作等により阻むことができるため、安全性にも優れている。
【００３１】
更に、第四の発明によれば、キースイッチ部が入状態であることを条件に、第一の制御スイッチ部の操作を有効にしているため、キーを所持していない第三者等による開閉体の開閉操作を防いで、防犯性を向上することができる。
【００３２】
更に、第五の発明によれば、開スイッチ部により開閉体を開放方向へ動作させた状態でキーを抜いたり、閉スイッチ部により開閉体を閉鎖方向へ動作させた状態でキーを抜いたり等、利便性の良い操作が可能である。
しかも、動作中の開閉体を、キースイッチの入切状態に拘わらずに、停止スイッチにより停止することができるため、安全性をより向上することができる。
【００３３】
更に、第六の発明によれば、停止スイッチ部を、開放用リレーを自己保持する自己保持接点と、閉鎖用リレーを自己保持する自己保持接点との双方に対して直列に配線したため、該停止スイッチの操作により、開放用リレー及び閉鎖用リレーの自己保持状態を解除し、開閉体を停止させることができる。
また、キースイッチ部を、開放用リレーの電磁コイルと開スイッチ部とを直列接続した回路と、閉鎖用リレーの電磁コイルと閉スイッチ部とを直列接続した回路との内、少なくとも一方の回路に対して直列に配線しているため、キースイッチ部が入り状態の場合に、開スイッチ部の操作と閉スイッチ部の操作との内、少なくとも一方の操作を有効にすることができる。
また、キースイッチ部が切り状態の場合には、開スイッチ部の操作と閉スイッチ部の操作との内、少なくとも一方の操作を無効にすることができる。
また、停止スイッチ部を、上記したように開放用リレーの自己保持接点と閉鎖用リレーの自己保持接点との双方に対して直列に配線し、且つ、キースイッチ部を、開放用リレーの前記自己保持接点と、閉鎖用リレーの前記自己保持接点との各々に対して並列に配線しているため、キースイッチ部の入切状態に拘わらずに、停止スイッチ部の操作が有効である。
したがって、例えば、開スイッチ部の操作により開放用リレーをＯＮにし、開閉体を開放動作させた状態で、キースイッチ部を切状態にしたとしても、開閉体の開放動作を継続することができる上、その開閉体の開放動作を、停止スイッチ部の操作により停止することができる。
また同様に、例えば、閉スイッチ部の操作により閉鎖用リレーをＯＮにし、開閉体を閉鎖動作させた状態で、キースイッチ部を切状態にしたとしても、開閉体の閉鎖動作を継続することができる上、その開閉体の閉鎖動作を、停止スイッチ部の操作により停止することができる。
よって、この第六の発明によれば、利便性、安全性、及び防犯性の良好な開閉体制御装置を、コスト安で簡素構造な電気回路により提供することができる。
【００３４】
更に、第七の発明によれば、上記停止スイッチ部を、上記双方の自己保持接点および上記キースイッチ部の電源側に、直列に配線したため、例えば、停止スイッチ部が切り状態に維持され、キースイッチが入りの状態にされ、且つ開スイッチ部または閉スイッチ部が操作されて、開閉体が動作させられてしまうのを防ぐことができる。すなわち、停止スイッチが入りにされているのに、開閉体が動作させられてしまうという操作を防ぐことができる。
したがって、開閉体を、より安全に動作させることができる。
【発明を実施するための最良の形態】
【００３５】
以下、本発明の実施の形態を図面に基づいて説明する。
本実施の形態による一例は、住宅やビル、倉庫、工場、車両の荷台等の構築・構造物における開口部分や内部に配設され、前記開口部分を開閉したり、躯体内部の空間を仕切ったり開放したりする所謂シャッター装置における開閉体制御装置として説明する。
【００３６】
開閉装置Ａは、収納部２内の巻取り装置によって開閉体１を巻き取ったり繰り出したりする所謂シャッター装置であり、ガイドレール３，３間の開口部を開閉体１により開閉する。
そして、この開閉装置Ａに具備された開閉体制御装置Ａ１は、電動モーター１０や、ブレーキ装置５０、操作ボックス２０等を制御部３０内の電気回路に配線することで制御手段４を構成している（図１及び２参照）。
【００３７】
電動モーター１０は、所謂三相誘導電動機であり、正逆方向へ回転制御されることで、開閉体１を繰り出したり同開閉体１を巻き取ったりするように、開閉装置Ａの巻き取り軸を回転させる。
【００３８】
ブレーキ装置５０は、電磁駆動するブレーキ部材を、開閉体１を巻き取ったり繰り出したりする巻き取り軸や、開閉体１等に接触させ、開閉体１の動作を停止させる装置である。
【００３９】
操作ボックス２０は、開閉装置Ａを、その近傍で操作したり遠隔操作したりするものであり、差し込まれるキーによって入切操作されるキースイッチ部２１と、選択的に操作される開スイッチ部２２、閉スイッチ部２３、及び停止スイッチ部２４とを具備している。
【００４０】
キースイッチ部２１は、残留ａ接点を有するスイッチであり、差し込まれるキーにより正方向（図示例によれば時計方向）へ回転操作されることで、接点を閉じにし、逆方向（図示例によれば反時計方向）へ回転操作されることで、接点を開にする。
【００４１】
開スイッチ部２２は、自動復帰ａ接点を有する押ボタンスイッチであり、開閉体１を開放動作させる際に押圧される。
また、閉スイッチ部２３は、自動復帰ａ接点を有する押ボタンスイッチであり、開閉体１を閉鎖動作させる際に押圧される。
【００４２】
また、停止スイッチ部２４は、自動復帰ｂ接点を有する押ボタンスイッチであり、開閉体１の開放動作または閉鎖動作を停止する際に押圧される。
【００４３】
制御部３０は、前記操作ボックス２０から入力される接点信号により、電動モーター１０を制御するように電気配線された電気回路であり、電動モーター１０を開閉体開放方向に沿って回転させるための開放用リレー３１、電動モーター１０を開閉体閉鎖方向に沿って回転させるための閉鎖用リレー３２、ブレーキ装置５０の作動回数をカウントするカウンター５１等を備えている。
【００４４】
また、この制御部３０には、上述した電動モーター１０、操作ボックス２０、ブレーキ装置５０以外に、開放検知部３３、閉鎖検知部３４、開放補助検知部３５、モータープロテクター３６等が外部接続されている。
【００４５】
前記開放検知部３３は、開放動作した開閉体１が、開き切って全開時の所定位置となったことを検知するリミットスイッチであり、開閉装置Ａにおける開放方向側の部位に配設されている。
また、前記閉鎖検知部３４は、閉鎖動作した開閉体１が、閉まり切って全閉時の所定位置となったことを検知するリミットスイッチであり、開閉装置Ａにおける閉鎖方向側の部位に配設されている。
【００４６】
また、開放補助検知部３５は、上記開放検知部３３が万が一故障した場合に、開閉体１が開き切ったことを検知するリミットスイッチであり、開閉装置Ａにおける上記開放検知部３３よりも更に開放方向側の部位に配設されている。
【００４７】
また、モータープロテクター３６は、電動モーター１０が異常温度上昇した場合等に開放する接点であり、電動モーター１０に内臓されている。
【００４８】
次に、上述した電気部品を配線してなる制御手段４について詳細に説明する。
図２中、単相交流電源４０から上側へ分岐された一方の電気回路は、電動モーター１０へ電力を供給する回路である。また、同図２中、単相交流電源４０から下側へ分岐された他方の電気回路は、開放用リレー３１および閉鎖用リレー３２へ電力を供給する回路である。
【００４９】
先ず、電動モーター１０側の電気回路について説明すれば、電動モーター１０は、単相交流電源４０から電力を供給されるように電気配線されている。そして、その電力供給ライン上には、開放用リレー３１のａ接点及び閉鎖用リレー３２のａ接点の開閉により、電動モーター１０を通電状態にしたり非通電状態にしたりする回路４１や、電動モーター１０に供給される電力の位相を入れ換えることで電動モーター１０を正転させたり逆転させたりする回路４２等を備えている。
なお、図中符号４３ａは、単相交流電源４０の電力を、三相交流に変換して電動モーター１０へ供給するためのコンデンサーである。
また、図中符号４４は、ブレーキ装置５０への通電を、開放用リレー３１のａ接点及び閉鎖用リレー３２のａ接点により開閉する回路である。
【００５０】
また、開放用リレー３１及び閉鎖用リレー３２側の電気回路について説明すれば、上記単相交流電源４０と開放用リレー３１及び閉鎖用リレー３２との間には、上記停止スイッチ部２４、キースイッチ部２１、開スイッチ部２２、閉スイッチ部２３、開放検知部３３、閉鎖検知部３４、開放補助検知部３５、モータープロテクター３６等の接点が配線されている。
【００５１】
詳細に説明すれば、単相交流電源４０から分岐された一方の電線の分岐先には、停止スイッチ部２４の自動復帰ｂ接点が接続されている。
この停止スイッチ部２４の自動復帰ｂ接点の負荷側は、三方へ分岐され、それらの分岐先には、キースイッチ部２１の残留ａ接点と、開放用リレー３１を自己保持するための自己保持ａ接点３１ａと、閉鎖用リレー３２を自己保持するための自己保持ａ接点３２ａとが接続されている。
【００５２】
なお、上記自己保持ａ接点３１ａとは、開放用リレー３１の電磁コイルに直列的に配線された同開放用リレー３１のａ接点である。
また、上記自己保持ａ接点３２ａとは、前記同様に、閉鎖用リレー３２の電磁コイルに直列的に配線された同閉鎖用リレー３２のａ接点である。
【００５３】
キースイッチ部２１の前記残留ａ接点の負荷側は、二方へ分岐され、その一方には、開スイッチ部２２の自動復帰ａ接点が接続され、その他方には、閉スイッチ部２３の自動復帰ａ接点が接続されている。
【００５４】
開スイッチ部２２の自動復帰ａ接点の負荷側と、開放用リレー３１の自己保持ａ接点３１ａの負荷側とは合流するように接続され、その合流点（図中端子Ｐ２で示す箇所）の更に負荷側には、閉鎖用リレー３２のｂ接点３２ｂが接続されている。
このｂ接点３２ｂは、閉鎖用リレー３２の作動中に、開放用リレー３１が作動することのないようにする所謂インターロック回路を構成するものである。
そして、閉鎖用リレー３２の前記ｂ接点３２ｂの更に負荷側には、開放用リレー３１の電磁コイルの一方の端子が接続され、同電磁コイルの他方の端子には、開放検知部３３のｂ接点が接続されている。
【００５５】
同様にして、閉スイッチ部２３の自動復帰ａ接点の負荷側と、閉鎖用リレー３２の自己保持ａ接点３２ａとは合流するように接続され、その合流点（図中端子Ｐ４で示す箇所）の更に負荷側には、開放用リレー３１のｂ接点３１ｂが接続されている。
このｂ接点３１ｂは、開放用リレー３１の作動中に、閉鎖用リレー３２が作動することのないようにする所謂インターロック回路を構成するものである。
そして、開放用リレー３１の前記ｂ接点３１ｂの更に負荷側には、閉鎖用リレー３２の電磁コイルの一方の端子が接続され、同電磁コイルの他方の端子には、閉鎖検知部３４のｂ接点が接続されている。
【００５６】
上記開放検知部３３のｂ接点の電源側と、上記閉鎖検知部３４のｂ接点の電源側とは、合流するように接続され、その接続点の更に電源側には、開放補助検知部３５のｂ接点と、モータープロテクター３６のｂ接点とが直列に接続されている。そして、モータープロテクター３６のｂ接点の電源側は、単相交流電源４０に接続されている。
【００５７】
上記構成によれば、停止スイッチ部２４の自動復帰ｂ接点を、開放用リレー３１を自己保持する自己保持ａ接点３１ａと、閉鎖用リレー３２を自己保持する自己保持ａ接点３２ａとの各々に対して直列に接続しているため、停止スイッチ部２４の自動復帰ｂ接点を押ボタン操作により開にすることで、開放用リレー３１及び閉鎖用リレー３２の自己保持状態を解除し、開閉体１の動作を停止させることができる。
【００５８】
また、キースイッチ部２１の残留ａ接点を、開放用リレー３１の電磁コイルと開スイッチ部２２の自動復帰ａ接点とを直列接続した回路と、閉鎖用リレー３２の電磁コイルと閉スイッチ部２３の自動復帰ａ接点とを直列接続した回路との各々に対して直列に接続しているため、キースイッチ部２１が残留ａ接点を閉じた入り状態の場合に、開スイッチ部２２の操作と、閉スイッチ部２３の操作とを有効にし、キースイッチ部２１が残留ａ接点を開いた切り状態の場合には、開スイッチ部２２の操作と閉スイッチ部２３の操作とを無効にすることができる。
【００５９】
また、上記したように停止スイッチ部２４の残留ａ接点を双方の自己保持ａ接点３１ａ及び自己保持ａ接点３２ａに対して直列に配線し、且つ同キースイッチ部２１の残留ａ接点を、開放用リレー３１の自己保持ａ接点３１ａと、閉鎖用リレー３２の自己保持ａ接点３２ａとの各々に対して並列に配線しているため、該キースイッチ部２１の残留ａ接点の開閉状態に拘わらずに、停止スイッチ部２４の操作による開放用リレー３１のＯＦＦ動作および閉鎖用リレー３２のＯＦＦ動作が可能である。
【００６０】
また、停止スイッチ部２４の自動復帰ｂ接点を、上記双方の自己保持ａ接点３１ａ，３２ａおよびキースイッチ部２１の残留ａ接点の電源側に、直列に配線しているため、例えば、停止スイッチ部２４が押し続けられた状態、すなわち停止スイッチ部２４の自動復帰ｂ接点が開に維持された状態で、キースイッチ部２１が残留ａ接点を閉じた入りの状態にされ、且つ開スイッチ部２２または閉スイッチ部２３が操作されることで、開閉体１が動作させられてしまうのを防ぐことができる。
【００６１】
次に、上記制御手段４による制御動作を示すフローチャートの一例について説明する。
制御手段４に単相交流電源４０が通電されると、制御手段４は、キースイッチ部２１が入り状態か否かを判断し（ステップＡ１）、キースイッチ部２１が入り状態である場合にはステップＡ２のように動作し、キースイッチ部２１が入りにされるのを待った状態となる。
【００６２】
次に、制御手段４は、開スイッチ部２２が操作されたか否かの判断（ステップＡ２）と、開スイッチ部２２が操作されずに閉スイッチ部２３が操作されたか否かの判断（ステップＢ１）とを行う。
【００６３】
そして、制御手段４は、前記ステップＡ２で開スイッチ部２２が操作されている場合には、閉鎖用リレー３２を励磁し、開閉体１を開放動作させ（ステップＡ３）、その開放動作中に、停止スイッチ部２４が開にされたかを判断（ステップＡ４）し、開にされている場合には、その制御動作をステップＡ６にジャンプさせて、開放用リレー３１を非励磁にし開閉体１の動作を停止する。
また、停止スイッチ部２４が閉の場合には開閉体１の動作を継続するとともに、開放検知部３３の接点の開閉状態により、開閉体１が開き切ったか否かを判断し（ステップ５）、開き切った場合には開閉体１の動作を停止する（ステップＡ６）。また、開き切っていない場合には、上記ステップＡ３〜Ａ５の制御動作を繰り返す。
【００６４】
また、上記ステップＢ１において、閉スイッチ部２３が操作されて閉状態となった場合には、閉鎖用リレー３２が励磁されることにより、開閉体１が閉鎖動作し（ステップＢ２）、閉スイッチ部２３が操作されない開状態である場合には、再度ステップＡ１の制御動作が行われる。
また、ステップＢ２〜ステップＢ４では、上述したステップＡ３〜ステップＡ５における開閉体１の動作方向を逆方向にした制御動作が行われる。
そして、ステップＡ６により、開閉体１の動作を停止した後は、再度ステップＡ１の制御動作が行われることになる。
【００６５】
したがって、本実施の形態の開閉体制御装置Ａ１によれば、例えば、開スイッチ部２２または閉スイッチ部２３の操作（ステップＡ２又はＢ１）により開閉体１を開放方向または閉鎖方向へ動作（ステップＡ３又はＢ２）させたままの状態で、キースイッチ部２１を切状態にして該キースイッチ部からキーを抜くことができる上、キーを抜いた状態で開閉体１が動作している場合に、その動作中の開閉体１を停止スイッチ部２４の操作（ステップＡ４又はＢ３）により停止させることができる。また、その動作中に停止スイッチ部２４が操作されない場合であって、開閉体１は、開放検知部３３または閉鎖検知部３４（ステップＡ５又はＢ４）により、自動的に停止されることになる。
【００６６】
なお、本実施の形態では、開閉体制御装置Ａ１を所謂リレー回路によって構成した一例を示したが、本発明は、電子部品を用いてなる制御回路や、プログラマブルコントローラを用いた制御回路等、所謂無接点シーケンス回路を利用した態様とすることも可能であり、その場合には、上記フローチャートによる制御動作が可能な構成とすればよい。
【００６７】
次に、本発明に係わる開閉体制御装置の他例について説明する。
なお、以下に示す開閉体制御装置の他例は、上記開閉体制御装置Ａ１の制御手段４について、操作ボックス２０に関する電気回路を変更したものであるため、その他の部分の電気回路の図示を省略するとともに、上記開閉体制御装置Ａ１と略同様の部位については上記開閉体制御装置Ａ１と同じ符号を用いることで、重複する詳細説明を省略する。
【００６８】
図４は、本発明に係わる開閉体制御装置の他例であって、制御手段４における操作ボックス２０内の電気回路を示している。
この電気回路は、停止スイッチ部２４とキースイッチ部２１とが並列になるように配線されている。
詳細には、停止スイッチ部２４の自動復帰ｂ接点の電源側と、キースイッチ部２１の残留ａ接点の電源側とが接続されている。
そして、停止スイッチ部２４の自動復帰ｂ接点の負荷側は、分岐されて、その一方が開放用リレー３１の自己保持ａ接点３１ａに接続され、他方が閉鎖用リレー３２の自己保持ａ接点３２ａに接続されている。
また、キースイッチ部２１の負荷側は、分岐されて、その一方が開スイッチ部２２の自動復帰ａ接点に接続され、その他方が閉スイッチ部２３の自動復帰ａ接点に接続されている。
【００６９】
この構成によれば、開スイッチ部２２または閉スイッチ部２３の操作により開閉体１を開放方向または閉鎖方向へ動作させたままの状態で、キースイッチ部２１を切状態にして該キースイッチ部からキーを抜くことができる。
その上、キーを抜いた状態で開閉体１が動作している場合に、その動作中の開閉体１を、停止スイッチ部２４による操作、開放検知部３３による全開位置の検知、閉鎖検知部３４による全閉位置の検知等の何れかによって停止させることができる。
しかしながら、停止スイッチ部２４が押し続けられているのに、キースイッチ部２１と開スイッチ部２２または閉スイッチ部２３とにより開閉体１が動作させられてしまうという操作を防ぐには、上述した開閉体制御装置Ａ１の制御手段４（図２に示す電気回路）の方が好ましい。
【００７０】
次に、図５に示す電気回路について説明する。
この電気回路では、停止スイッチ部２４の自動復帰ｂ接点は、開放用リレー３１の自己保持ａ接点３１ａと、閉鎖用リレー３２の自己保持ｂ接点との各々に対して直列に配線されている。
上記キースイッチ部２１は、開スイッチ部２２の自動復帰ａ接点に対して直列で且つ閉スイッチ部２３の自動復帰ａ接点に対して並列に配線されている。
且つ、同キースイッチ部２１は、開放用リレー３１の自己保持ａ接点３１ａと、閉鎖用リレー３２の自己保持ａ接点３２ａとの各々に対して並列に配線されている。
【００７１】
したがって、図５の電気回路によれば、キースイッチ部２１が入りの状態の場合には、停止スイッチ部２４による押ボタン操作、開スイッチ部２２による押ボタン操作、及び閉スイッチ部２３による押ボタン操作等、全ての押ボタン操作が有効となる。
また、キースイッチ部２１が切りの状態の場合には、停止スイッチ部２４による押ボタン操作、及び閉スイッチ部２３による押ボタン操作のみが有効となる。
【００７２】
すなわち、図５に示す態様は、キースイッチ部２１の入切状態に拘わらずに、停止スイッチ部２４による押ボタン操作、及び閉スイッチ部２３による押ボタン操作を有効にすることで、防犯性及び安全性を向上したものである。
なお、図５の電気回路において、開スイッチ部２２の電源側のキースイッチ部２１の位置を、閉スイッチ部２３の電源側に換えることで、キースイッチ部２１の入切状態に拘わらずに、停止スイッチ部２４による押ボタン操作、及び開スイッチ部２２による押ボタン操作を有効にすることも可能である。
【００７３】
次に、図６に示す電気回路について説明する。
この電気回路は、上記開閉体制御装置Ａ１に対して、操作ボックスを増設した場合の電気回路である。すなわち、この電気回路は、上記操作ボックス２０と増設された操作ボックス（図示せず）とを備え、これら双方の操作ボックスにより開閉体１を操作できるようにしている。
【００７４】
前記増設された操作ボックス内には、停止スイッチ部２４’と、開スイッチ部２２’と、閉スイッチ部２３’とを備えている。
そして、これら停止スイッチ部２４’と、開スイッチ部２２’と、閉スイッチ部２３’とは、上述した制御手段４の電気回路に対して接続される。
【００７５】
前記停止スイッチ部２４’の自動復帰ｂ接点は、上記停止スイッチ部２４の自動復帰ｂ接点の負荷側に、直列に接続される。
この停止スイッチ部２４’の自動復帰ｂ接点の負荷側は、五方に分岐され、それらの内の三つの分岐先には、上記開閉体制御装置Ａ１と同様にして、キースイッチ部２１と開放用リレー３１の自己保持ａ接点３１ａと閉鎖用リレー３２の自己保持ａ接点３２ａとがそれぞれ接続され、他の二つの分岐先には、開スイッチ部２２’の自動復帰ａ接点と、閉スイッチ部２３’の自動復帰ａ接点とがそれぞれ接続されている。
【００７６】
そして、開スイッチ部２２’の自動復帰ａ接点の負荷側は、開スイッチ部２２の自動復帰ａ接点の負荷側、及び開放用リレー３１の自己保持ａ接点３１ａの負荷側と合流するように接続され、閉スイッチ部２３’の自動復帰ａ接点の負荷側は、閉スイッチ部２３の自動復帰接点の負荷側、及び閉鎖用リレー３２の自己保持ａ接点３２ａの負荷側と合流するように接続されている。
【００７７】
この図６に示す電気回路によれば、操作ボックス２０の操作により上記開閉体制御装置Ａ１と略同様の動作が可能な上、増設された操作ボックスについては、操作ボックス２０のキースイッチ部２１の入切状態に拘わらずに、開スイッチ部２２’、閉スイッチ部２３’、及び停止スイッチ部２４’による操作がそれぞれ有効である。
【００７８】
次に、図７に示す電気回路について説明する。
この電気回路は、上述した図６に示す電気回路に対して、増設された操作ボックスのキースイッチ部２１’を追加した構成となっている。
詳細には、図６の電気回路と同様に設けられた停止スイッチ部２４’の自動復帰ｂ接点の負荷側が四方に分岐され、それらの内の三つの分岐先には、上記開閉体制御装置Ａ１と同様にして、キースイッチ部２１と開放用リレー３１の自己保持ａ接点３１ａと閉鎖用リレー３２の自己保持ａ接点３２ａとがそれぞれ接続され、他の一つの分岐先には、増設された操作ボックスのキースイッチ部２１’の残留ａ接点が接続されている。
【００７９】
そして、キースイッチ部２１’の残留ａ接点の負荷側は、二方に分岐され、その一方に開スイッチ部２２’の自動復帰ａ接点が接続され、その他方には閉スイッチ部２３’の自動復帰ａ接点が接続されている。
更に、開スイッチ部２２’の自動復帰ａ接点の負荷側は、開スイッチ部２２の自動復帰ａ接点の負荷側、及び開放用リレー３１の自己保持ａ接点３１ａの負荷側と合流するように接続されている。
また、閉スイッチ部２３’の自動復帰ａ接点の負荷側は、閉スイッチ部２３の自動復帰ａ接点の負荷側、及び閉鎖用リレー３２の自己保持ａ接点３２ａの負荷側と合流するように接続されている。
【００８０】
すなわち、この図７の電気回路は、上記開閉体制御装置Ａ１における操作ボックス２０の電気回路に、該電気回路と略同一構成の電気回路を並設接続した構成となっている。
【００８１】
そして、この図７の電気回路によれば、操作ボックス２０と増設された操作ボックスとの各々について、上記開閉体制御装置Ａ１と略同様の操作が可能な上、キースイッチ部２１及びキースイッチ部２１’の入切状態に拘わらずに、停止スイッチ部２４と停止スイッチ部２４’との双方の操作が有効である。
また、一方の操作ボックスにおける開スイッチ部２２（又は２２’）により開閉体１を開放動作させた後、キースイッチ部２１とキースイッチ部２１’との内の一方または双方を切り状態にしたとしても、開閉体１の前記開放動作を継続させることができる。
【図面の簡単な説明】
【００８２】
【図１】本発明に係わる開閉体制御装置の一例を示す模式図。
【図２】同開閉体制御装置の制御手段の一例を示す電気配線図。
【図３】同開閉体制御装置の動作を示すフローチャートの一例。
【図４】制御手段の他例を示す要部電気配線図。
【図５】制御手段の他例を示す要部電気配線図。
【図６】制御手段の他例を示す要部電気配線図。
【図７】制御手段の他例を示す要部電気配線図。
【図８】従来の開閉体制御装置の一例を示す電気配線図。
【符号の説明】
【００８３】
１：開閉体
４：制御手段
２０：操作ボックス
２１：キースイッチ部
２２：開スイッチ部（第一の制御スイッチ部）
２３：閉スイッチ部（第一の制御スイッチ部）
２４：停止スイッチ部（第二の制御スイッチ部）
３１：開放用リレー
３１ａ：自己保持ａ接点
３２：閉鎖用リレー
３２ａ：自己保持ａ接点
３３：開放検知部
３４：閉鎖検知部
【図１】
2005030125.tif 000003
【図２】
2005030125.tif 000004
【図３】
2005030125.tif 000005
【図４】
2005030125.tif 000006
【図５】
2005030125.tif 000007
【図６】
2005030125.tif 000008
【図７】
2005030125.tif 000009
【図８】
2005030125.tif 000010